(57)【要約】【課題】  移動時における可動部品のがたつきを有効に防止して、可動部品の損傷を防ぐ。【解決手段】  画像形成装置１０移動時、給紙トレイ２０には、給紙トレイ２０の側部２１に取り付けられる取付部３１と、該取付部３１から延設されスライドレール部材１６との間に設けられスライドレール部材１６に押し付けられ給紙トレイ２０のがたつき防止する加圧部３２、３３とから構成され傷防止部材３０を取り付ける。加圧部３２には樹脂製の加圧部カバー４０が取り付けられる。画像形成装置１０の使用時には傷防止部材３０は給紙トレイ２０の余剰空間部Ｓに配置される。【選択図】        図３
2006225109.tif 000002
【特許請求の範囲】
【請求項１】
装置の可動部材本体に取り付けられる取付部と、該取付部から延設され可動部材と装置本体の部材との間に設けられ、装置内での可動部材のがたつき防止する加圧部とからなる傷防止部材。
【請求項２】
請求項１の傷防止部材において、取付部と加圧部とは一体に形成された板バネ部材を折り曲げて形成されていることを特徴とする傷防止部材。
【請求項３】
請求項１または２の傷防止部材において、取付部は可動部材の上下方向に延設され、加圧部は取付部から前後両方向に延設されており、全体で略十字形状をなすことを特徴とする傷防止部材。
【請求項４】
請求項１ないし３のいずれかの傷防止部材において、取付部は前記可動部材を挟む上下板とこの上下板を連結する連結板とで略コ字状に形成されたことを特徴とする傷防止部材。
【請求項５】
請求項１ないし４のいずれかの傷防止部材において、前記加圧部には、軟質部材で形成された加圧部カバーが設けられていることを特徴とする傷防止部材。
【請求項６】
請求項１ないし５の傷防止部材において、前記取付部は可動部材と嵌合し、傷防止部材を可動部材に取り外し可能に取り付ける嵌合部を形成したことを特徴とする傷防止部材。
【請求項７】
請求項１ないし６のいずれかの傷防止部材において、前記装置は画像形成装置であり、前記可動部材は給紙トレイであることを特徴とする傷防止部材。
【請求項８】
請求項６または７の傷防止部材において、給紙トレイの余剰空間部に格納可能に構成されたことを特徴とする傷防止部材。
【請求項９】
請求項８の傷防止部材が取付可能に構成されたことを特徴とする給紙トレイ。
【請求項１０】
請求項９の給紙トレイにおいて、余剰空間部に請求項１ないし６のいずれかの傷防止部材を格納可能に構成したことを特徴とする給紙トレイ。
【請求項１１】
請求項９または１０の給紙トレイを備えたことを特徴とする画像形成装置。
【発明の詳細な説明】
【技術分野】
【０００１】
本発明は、傷防止部材、給紙トレイ及び画像形成装置に係り、特に給紙トレイ端部の打痕傷を防止することができる傷防止部材、給紙トレイ及び画像形成装置に関する。
【背景技術】
【０００２】
画像形成装置、例えば複写機、プリンタ等には印刷用紙を蓄留しておく給紙トレイが設けられている。このような給紙トレイは、画像形成装置本体から引出式に構成され、印刷用紙の補給などを行えるようになっている。
【０００３】
このような引出式の給紙トレイには、画像形成装置本体に出没可能な２本のスライドレール部材備え、このスライドレール部材上でさらに給紙トレイを移動可能に構成したものがある。このようなスライドレールを使用した給紙トレイを備えた画像形成装置にあっては、給紙トレイの出し入れを円滑に行うことができる他、給紙トレイ全体を画像形成装置本体から引き出し露出することができる他、給紙トレイの出し入れ動作を円滑に行うことができる。
【０００４】
ところで、このような給紙トレイ出没用のスライドレールを備えた画像形成装置を回収し再使用することがあり、このような装置の回収時には、画像形成装置本体に給紙トレイを取り付けたまま装置全体を移動することがある。
【０００５】
しかし、使用状態では給紙トレイは画像形成装置本体に出し入れ可能に配置されている他、給紙トレイの出没方向と直角の方向にも移動するため、給紙トレイが画像形成装置本体内で移動し、画像形成装置の構成部材特にスライドレールの先端部に接触し、傷つくことがある。このような事態が発生すると、給紙トレイの再使用ができなくなるため、画像形装置の移動時には、給紙トレイを粘着テープで画像形成装置本体に固定する等の対策がなされていた。このような対策は、給紙トレイの他、画像形成装置の様々な再使用対象部品にも適用されている。
【０００６】
特許文献１には運搬時の振動や衝撃からプラスチック部品などの傷を防止するための緩衝材を、サイドフェンスのストッパとして利用するものが記載されている。即ち特許文献１には、転写紙を積載するための底板と、転写紙の搬送方向に対する側縁の位置を規制し、転写紙のサイズに合わせて移動可能なサイドフェンスと、運搬時に給紙トレイ本体内に仮止めされて底板とサイドフェンスの動きを規制する緩衝材とを備え、給紙トレイ使用時に、緩衝材を一方のサイド
フェンスと給紙トレイ本体内壁との間に納めてサイドフェンスを規制するものが記載されている。
【０００７】
特許文献２には、インクヘッドカートリッジまたはスキャナヘッドカートリッジを固定するための弾性部材を内部に有するカバーユニットと、前記インクヘッドカートリッジのイ
ンク吐出部保湿用ゴムキャップを内部に有し、成形時の樹脂注入口を前記カバーユニットとの嵌合部から離して肉厚部になるように設けたベースユニットと、から成り、前記カバーユニットが前記ベースユニットに開閉可能に枢支されているものが記載されている。
【０００８】
特許文献４には、画像形成装置を回収運搬し、保管するときに振動や衝撃でトナー、オイルの漏れ、飛散することを防止し、保管する
ときに振動や衝撃で再使用対象部分を破損したり、傷つけるのを防止するため、複写機に設けられ、その本体を包むためのパッケージと、該パッケージを収納するパッケージ収納部を有するものが記載されている。
【０００９】
特許文献４には、搬送経路の内面に傷が付くのを防ぐため、輸送運搬時には用紙面反転装置は、搬送経路内、即ち本体のフレームとカバーのリブの先端面との間に、緩衝シートを挿入し、この緩衝シートには、搬送経路への挿入時に搬送駆動ローラと搬送従動ローラとの当接部分を回避するために、端部より開口する切り込み部を２箇所に設けているものが記載されている。
【００１０】
特許文献５には、給紙トレイの脱落を防止し、且つ、給紙トレイの取り外しの操作性の向上を図るため、給紙トレイの両側面から突出するガイドの後端付近に、外側に突出する突部とその手前側に配置された上面が凹む段付凹部とを形成し、ガイドレールの手前側にストッパを形成し、ガイドレールのガイド押えの手前側の端部の近傍に切欠を形成し、突部の上面が切欠以外のガイド押えの部分に対向する状態では、ガイド支えからのガイドの浮きをガイド押えにより抑制し、給紙トレイを傾けて引き出した場合でも突部とストッパとの当接により給紙トレイの脱落を確実に防止し、また、ガイド支えからガイドを平行に浮かせて突部を切欠から突出させながらガイドレールから給紙トレイを容易に外すようにするものが記載されている。
【００１１】
【特許文献１】特開平０９−０８６６７９
【特許文献２】特開２００１−１７１１４４
【特許文献３】特開２００４−０３５２４２
【特許文献４】特開平０７−０７２６７１
【特許文献５】特開平１０−００７２７０
【発明の開示】
【発明が解決しようとする課題】
【００１２】
本発明は、装置の移動時に容易に装着でき、移動時における可動部品のがたつきを有効に防止して、可動部品の損傷を防ぐことを目的とする。
【課題を解決するための手段】
【００１３】
請求項１の発明は、装置の可動部材本体に取り付けられる取付部と、該取付部から延設され可動部材と装置本体の部材との間に設けられ、装置内での可動部材のがたつき防止する加圧部とからなる傷防止部材である。
【００１４】
請求項２の発明は、請求項１の傷防止部材において、取付部と加圧部とは一体に形成された板バネ部材を折り曲げて形成されていることを特徴とする。
【００１５】
請求項３の発明は、請求項１または２の傷防止部材において、取付部は可動部材の上下方向に延設され、加圧部は取付部から前後両方向に延設されており、全体で略十字形状をなすことを特徴とする。
【００１６】
請求項４の発明は、請求項１ないし３のいずれかの傷防止部材において、取付部は前記可動部材を挟む上下板とこの上下板を連結する連結板とで略コ字状に形成されたことを特徴とする。
【００１７】
請求項５の発明は、請求項１ないし４のいずれかの傷防止部材において、前記加圧部には、軟質部材で形成された加圧部カバーが設けられていることを特徴とする。
【００１８】
請求項６の発明は、請求項６の傷防止部材において、前記取付部は可動部品と嵌合し、傷防止部材を可動部品に取り外し可能に取り付ける嵌合部を形成したことを特徴とする。
【００１９】
請求項７の発明は、請求項１ないし６のいずれかの傷防止部材において、前記装置は画像形成装置であり、前記可動部材は給紙トレイであることを特徴とする。
る。
【００２０】
請求項８の発明は、請求項６または７の傷防止部材において、給紙トレイの余剰空間部に格納可能に構成されたことを特徴とする。
【００２１】
請求項９の発明は、請求項８の傷防止部材が取付可能に構成されたことを特徴とする給紙トレイである。
【００２２】
請求項１０の発明は、請求項９の給紙トレイにおいて、余剰空間部に請求項１ないし６のいずれかの傷防止部材を格納可能に構成したことを特徴とする。
【００２３】
請求項１１の発明は、請求項９または１０の給紙トレイを備えた画像形成装置である。
【発明の効果】
【００２４】
本発明は、  できる。
【発明を実施するための最良の形態】
【００２５】
以下本発明を実施するための最良の形態を、図に示す実施例を参照して説明する。
【実施例】
【００２６】
図１は本発明に係る画像形成装置１０を示す斜視図、図２は図１に示した画像形成装置の給紙トレイ出し入れ用スライドレールを示す斜視図、図３は実施例に係る傷防止部材を給紙トレイと共に示す斜視図である。
【００２７】
本例では、画像形成装置１０には給紙トレイ２０が出し入れ自在に取り付けてある。このような画像形成装置１０は、図２に示すように、画像形成装置本体１１には出没可能な２本のスライドレール部材１５，１６備え、このスライドレール部材１５，１６上にさらに給紙トレイ２０を移動可能に配置して構成している。なお図１中符号１２は自動原稿供給装置を示している
【００２８】
本例では、給紙トレイ２０には、図３に示すように、傷防止部材３０が取り付けられている。本例では、傷防止部材３０は給紙トレイ本体の側部２１に取り付けられる取付部３１と、該取付部３１から延設されスライドレール部材１６との間に設けられスライドレール部材１６に押し付けられ給紙トレイ２０のがたつき防止する加圧部３２、３３とから構成されている。
【００２９】
本例は、傷防止部材３０は取付部３１と加圧部３２、３３とを一枚の弾力性を備える例えばバネ鋼等の金属板から切り出され、取付部３１は給紙トレイ２０の側部２１の上下方向に延設され、加圧部３２、３３は取付部から前後両方向に延設されてなり、全体で略十字形状をなす。
【００３０】
また、取付部３１は給紙トレイ２０の側部２１を挟む上下板３４，３５を備えて上下板を３４，３５連結する連結板３７とで略コ字状に形成されている。さらに前記上下板３４，３５に係合部として孔部３７，３８が開設され、給紙トレイ２０の側部２１に形成された係合突起２２，２３に係合して工具なしで取り外し可能に取り付けることができる。  
【００３１】
さらに、本例では、前記加圧部３２には、例えばポリエチレン樹脂等の軟質部材で形成された加圧部カバー４０が取り付け、装置本体へ傷発生を防止している。なお、加圧部カバー４０は消耗した際、交換可能な構成にしている。
【００３２】
また、本例では、傷防止部材３０は、不使用時即ち通常の画像形成装置の使用時には給紙トレイ２０の余剰空間部Ｓに形成された係止片２４，２５の間に保持することができる。
【００３３】
本例によれば、使用済みの画像形成装置１０を回収するに際して運送するとき給紙トレイ２０のがたつきを防止し、スライドレール部材１６が給紙トレイ２０の側部２１に当接する個所（特に符号２８で示した個所）の傷付を防止することができる。
【００３４】
本例によれば、傷防止部材３０を給紙トレイ２０内部に収納保管することができ、使用済み機械を運送する前に、給紙トレイ２０内より、傷防止部材３０取り出し給紙トレイ２０に取り付けることにより、画像形成装置１０移動時の給紙トレイ２０の発傷を防止できる。
【図面の簡単な説明】
【００３５】
【図１】本発明の実施例に係る画像形成装置を示す斜視図である。
【図２】図１に示した画像形成装置の給紙トレイ出し入れ用スライドレールを示す斜視図である。
【図３】実施例に係る傷防止部材を給紙トレイと共に示す斜視図である。
【符号の説明】
【００３６】
１０・・・画像形成装置
１１・・・画像形成装置本体
１２・・・自動原稿供給装置
１５・・・スライドレール部材
１６・・・スライドレール部材
２０・・・給紙トレイ
２１・・・側部
２２，２３・・・係合突起
２４，２５・・・係止片
３０・・・傷防止部材
３１・・・取付部
３２、３３・・・加圧部
３４，３５・・・上下板
３７，３８・・・孔部
３７・・・連結板
４０・・・加圧部カバー
Ｓ・・・余剰空間部
【図１】
2006225109.tif 000003
【図２】
2006225109.tif 000004
【図３】
2006225109.tif 000005